(57)【要約】      （修正有）【課題】回転椅子の踏みリング構造を提供する。【解決手段】椅子の中央パイプと、踏みリング２の錐形状であるスリーブ２１との間に、拘束部材３が組立てられ、上記拘束部材は、拘束主体３１と、拘束主体と踏みリングのスリーブとを固定して結合する固定リング３２とからなり、上記拘束主体に、踏みリングの錐形状であるスリーブが嵌設されるための錐形状体を設けられ、上記拘束主体の中央に、椅子の中央パイプが嵌設されるための嵌設孔３１１が形成される。また、上記拘束主体に、複数の凹槽が形成され、二つの錐形状である踏みリングスリーブと拘束主体が、互いに圧迫することにより、踏みリングが下へ踏む力で圧迫される場合、踏みリングの錐形状であるスリーブが、より緊密に錐形状である拘束主体に圧迫し、これにより、拘束主体が、より緊密に椅子の中央パイプに圧迫でき、踏みリングが、より安定的に椅子の中央パイプに固定される。【選択図】図２
0003178717.tif 000002
【実用新案登録請求の範囲】
【請求項１】
椅子の中央パイプに、嵌設される踏みリングであって、
上記踏みリングの椅子の中央パイプに嵌設されるスリーブが、錐形状であり、上記踏みリングのスリーブと椅子の中央パイプとの間において、拘束部材が組立てられ、
上記拘束部材は、拘束主体と、上縁に接続され、外へ突出するように形成され、スリーブ上端面に当接するストッパー縁が設けられ、拘束主体を踏みリングのスリーブに固定して結合させるための固定リングとを含有し、
上記拘束主体に、踏みリングの錐形状であるスリーブが嵌設されるための錐形状体が設けられ、上記拘束主体の中央に、椅子の中央パイプが嵌設されるための嵌設孔が形成され、また、上記拘束主体に、少なくとも一つ以上の凹溝が形成され、
また、上記拘束主体の嵌設孔の内壁に、リング状に複数の凹溝が形成され、また、それらの凹溝の溝壁に、嵌設孔が形成され、そして、行き止めパッドが設置され、上記行き止めパッドが、凹溝内に設置され、上記行き止めパッドの上縁に、嵌設孔に嵌設される突出部が形成される
ことを特徴とする回転椅子の踏みリング構造。
【請求項２】
上記固定リングにおいて、中央に、椅子の中央パイプに嵌設される貫通孔が形成され、固定リングの周壁に、係止溝が形成され、上記拘束主体の上縁に、固定リングの係止溝に係止する係止歯が形成されることを特徴とする請求項１に記載の回転椅子の踏みリング構造。
【請求項３】
上記係止溝に、固定リングの底端から上へ伸びる欠け口が形成され、上記欠け口から、所要の角度に傾斜して、係止部が設けられ、拘束主体の係止歯が、欠け口に嵌設されてから回転されることにより、係止部に係止されることを特徴とする請求項２に記載の回転椅子の踏みリング構造。
【請求項４】
上記固定リングと拘束主体において、対応する位置に、ピン孔が形成され、位置付けピンが、上記ピン孔に貫設されることにより、両者が固定されることを特徴とする請求項１に記載の回転椅子の踏みリング構造。
【考案の詳細な説明】
【技術分野】
【０００１】
本考案は、回転椅子の踏みリング構造に関するものであり、さらに詳しくは、踏みリングと、踏みリングが嵌設される椅子の中央パイプのスリーブとの間に組立てられる拘束部材とからなり、上記踏みリングのスリーブと拘束部材とが錐形状であり、拘束主体に緊密に嵌設することにより、踏みリングが、安定的に、椅子の中央パイプに固定される回転椅子の踏みリング構造に関するものである。
【背景技術】
【０００２】
一般のバーチェアーやオフィスチェアに設置される踏みリングは、踏みリングの中央に、椅子の中央パイプが嵌設されるためのスリーブが設けてあり、また、上記踏みリングのスリーブに、径方向に、踏みリングと椅子の中央パイプとを固定する螺着部材が螺着されるためのねじ孔が形成され、螺着部材が螺着されると、螺着部材の一端が、中央パイプに当接し、踏みリングと椅子とが固定されるように構成されている。
【０００３】
しかし、上記のような螺着部材を中央パイプに当接させることにより、踏みリングと椅子とを位置付けることは、下記の欠点がある。
【０００４】
１．一般の椅子の中央パイプが、滑らかな円形パイプであり、また、上記踏みリングが、螺着部材の一端で、中央パイプに当接することにより、固定され、点接触で当接状態になるため、踏みリングを使用する時、ユーザーが踏むことにより、膨大な力を負担しなければならなく、また、上記踏みリングが、点接触状態で、螺着部材と中央パイプとが固定されるため、ユーザーにより、椅子の踏みリングの軸方向に、上記螺着部材に、中央パイプに圧迫する力よりも大きい力を印加すると、上記椅子の踏みリングが外されることがある。
【０００５】
２．上記踏みリングは、一般的には、コストを考慮するため、プラスチックで一体成形されるものが殆どであり、上記踏みリングに設けてあるねじ孔も、長時間に使用されると、ユーザーによる負荷を受けるため、上記ねじ孔のスレッドが崩され、踏みリングが、中央パイプから脱落してしまうことがある。
【０００６】
３．上記椅子の踏みリングの高さが、例えば、螺着部材を緩めるか締めるかの手首の力によって調整されるが、上記のような操作によれば、力の小さい女性や子供にとって、踏みリングを安定的に位置付けることが難しい。
【０００７】
実開平６−５０５４９号公報（以下、「特許文献１」という。）には、脚部に対して座部を高さ調節可能とし、脚部の適所に高さの異なる足載せ台を有する足載せ台を固定した回転椅子が記載されている。
【０００８】
しかし、特許文献１には、足載せ台の支軸に対する取り付け構造の安定化については開示がなく、また、位置の高低調整についても開示がない。
【特許文献１】実開平６−５０５４９号公報
【考案の概要】
【考案が解決しようとする課題】
【０００９】
従って、本考案の課題は、回転椅子の踏みリング構造であって、踏みリングを、安定的に椅子の中央パイプに固定することができ、また、椅子の中央パイプにおいて、踏みリングの位置の高さを調整できる回転椅子の踏みリング構造を提供することにある。
【課題を解決するための手段】
【００１０】
そこで、本考案者は、前記の本考案の課題を解決するために鋭意検討を重ねた結果、踏みリングと、踏みリングが嵌設される椅子の中央パイプのスリーブとの間に拘束部材を設置することにより、前記課題を解決できることに着目し、かかる知見に基いて本考案に想到するに至った。
【００１１】
かくして、請求項１の考案によれば、椅子の中央パイプに、嵌設される踏みリングであって、
上記踏みリングの椅子の中央パイプに嵌設されるスリーブが、錐形状であり、上記踏みリングのスリーブと椅子の中央パイプとの間において、拘束部材が組立てられ、
上記拘束部材は、拘束主体と、上縁に接続され、外へ突出するように形成され、スリーブ上端面に当接するストッパー縁が設けられ、拘束主体を踏みリングのスリーブに固定して結合させるための固定リングとを含有し、
上記拘束主体に、踏みリングの錐形状であるスリーブが嵌設されるための錐形状体が設けられ、上記拘束主体の中央に、椅子の中央パイプが嵌設されるための嵌設孔が形成され、また、上記拘束主体に、少なくとも一つ以上の凹溝が形成され、また、上記拘束主体の嵌設孔の内壁に、リング状に複数の凹溝が形成され、また、それらの凹溝の溝壁に、嵌設孔が形成され、そして、行き止めパッドが設置され、上記行き止めパッドが、凹溝内に設置され、上記行き止めパッドの上縁に、嵌設孔に嵌設される突出部が形成されることを特徴とする回転椅子の踏みリング構造
が提供される。
【００１２】
請求項２の考案によれば、上記固定リングにおいて、中央に、椅子の中央パイプに嵌設される貫通孔が形成され、固定リングの周壁に、係止溝が形成され、上記拘束主体の上縁に、固定リングの係止溝に係止する係止歯が形成されることを特徴とする請求項１に記載の回転椅子の踏みリング構造
が提供される。
【００１３】
請求項３の考案によれば、上記係止溝に、固定リングの底端から上へ伸びる欠け口が形成され、上記欠け口から、所要の角度に傾斜して、係止部が設けられ、拘束主体の係止歯が、欠け口に嵌設されてから回転されることにより、係止部に係止されることを特徴とする請求項２に記載の回転椅子の踏みリング構造
が提供される。
【００１４】
請求項４の考案によれば、上記固定リングと拘束主体において、対応する位置に、ピン孔が形成され、位置付けピンが、上記ピン孔に貫設されることにより、両者が固定されることを特徴とする請求項１に記載の回転椅子の踏みリング構造
が提供される。
【考案の効果】
【００１５】
本考案によれば、前記の通りの構成からなるものであり、後記１〜６の通り、拘束部材の作用により、踏みリングを椅子の中央パイプに安定的に固定することができる。また、踏みリングの高さも、踏みリングを上方へ引き上げる操作のみで容易に調整することができる。
【考案を実施するための最良の形態】
【００１６】
以下、図面を参照しながら、本考案の特徴や技術内容について、詳しく説明するが、それらの図面等は、参考や説明のためであり、本考案は、それによって制限されることが無い。
【００１７】
図１と図２に示すように、椅子１の中央パイプ１１に踏みリング２が嵌設され、上記踏みリング２は、錐形状であるスリーブ２１によって、椅子１の中央パイプ１１に嵌設される。上記踏みリング２のスリーブ２１と、椅子１の中央パイプ１１との間に、拘束部材３が組立てられる。
【００１８】
上記拘束部材３は、拘束主体３１と、拘束主体３１と踏みリング２のスリーブ２１と固定結合するための固定リング３２とからなる。
【００１９】
上記拘束主体３１は、踏みリング２の錐形状であるスリーブ２１に対応して嵌設される錐形状体である。また、上記拘束主体３１において、中央に、椅子１の中央パイプ１１が嵌設されるための嵌設孔３１１が設けられている。
【００２０】
そして、上記拘束主体３１に、少なくとも一つ以上の凹溝３１２が形成され、上記拘束主体３１が拘束されて圧迫される時、上記凹溝３１２により、上記拘束主体３１が拘束されて収縮し、これにより、上記拘束主体３１が、より緊密に椅子１の中央パイプ１１を圧迫できるようになる。
【００２１】
また、上記拘束主体３１の嵌設孔３１１の内壁に、リング状に、複数の凹溝３１３が形成され、凹溝３１３の溝壁に、更に、嵌設孔３１４が形成され、行き止めパッド３１５が、凹溝３１３内に設置される。また、上記行き止めパッド３１５は、上縁に、嵌設孔３１４に嵌入される突出３１６が設けられる。これにより、図４に示すように、固定接合される。また、上記拘束主体３１の上縁に、リング状に、固定リング３２が係合されるための複数の係止歯３１７が設けられる。
【００２２】
上記固定リング３２は、中央に貫通孔３２１を形成させたリング状体であり、上記貫通孔３２１は、椅子１の中央パイプ１１に対応して嵌設され、上記固定リング３２の周壁には、拘束主体３１の上縁にある係止歯３１７が係止されるための複数の係止溝３２２が設けられる。上記係止溝３２２は、固定リング３２の底端から上へ伸びる欠け口３２３が形成され、上記欠け口３２３から、ある所要角度に傾斜して、係止部３２４が設けられ、上記固定リング３２の上縁に、スリーブ２１の上端面に当接する、外へ突出するストッパー縁３２５が設けられる。また、固定リング３２において、拘束主体３１に対応する側面に、位置付けピン３３が嵌設されて両者を固定するためのピン孔３２６、３１８が設置される。
【００２３】
本考案によれば、図２と図３に示すように、まず、拘束部材３を、拘束主体３１で、踏みリング２のスリーブ２１に貫設する。そして、固定リング３２の係止溝３２２に形成させてある欠け口３２３を、拘束主体３１の周縁に設けられた係止歯３１７に嵌合する。それから、固定リング３２を回転して、拘束主体３１の係止歯３１７が、固定リング３２の欠け口３２３から係止部３２４内へ入り込み、これにより、拘束主体３１と固定リング３２とが、図４に示すように、互いに係合し、固定リング３２と拘束主体３１に設けられたピン孔３２６、３１８が、互いに対応するように設置されるため、位置付けピン３３が、その内に挿設され、固定リング３２と拘束主体３１とが、図５に示すように、互いに固定される。また、両者を踏みリング２のスリーブ２１内へ押し込むと、固定リング３２のストッパー縁３２５が、スリーブ２１の上端面に当接し、また、上記椅子１の中央パイプ１１と、拘束部材３が嵌設された踏みリング２とを、互いに嵌設する。
【００２４】
本考案によれば、ユーザーが、踏みリング２を踏むと、踏みリング２のスリーブ２１に実装された拘束部材３は、その拘束主体３１に設置された行き止めパッド３１５に連動され、踏みリング２が、踏まれる瞬間に、踏みリング２の錐形状であるスリーブ２１が、対応する錐形状である拘束主体３１と、圧迫係合し、拘束主体３１が、圧迫される時、その拘束主体３１が、その凹溝３１２の設計により、収縮して緊密に椅子１の中央パイプ１１を圧迫し、踏みリング２が、より緊密に椅子１の中央パイプ１１に固定される。また、踏みリング２に印加した力の増大に従って、踏みリング２のスリーブ２１内に実装された拘束主体３１が、より収縮して圧迫される。そのため、椅子１の中央パイプ１１に対する拘束力が、大きくなり、踏みリング２が、より安定的に、椅子１の中央パイプ１１に固定される。また、拘束主体３１が、椅子１の中央パイプ１１に拘束する時、上記行き止めパッド３１５が、より緊密に、椅子１の中央パイプ１１に密着し、より優れた行き止めの効果が発揮される、これにより、踏みリング２と、椅子１の中央パイプ１１との固定性が、より安定的になる。
【００２５】
また、踏みリング２の高さを調整する場合、踏みリング２を上へ引き上げると、踏みリング２のスリーブ２１内の拘束主体３１が、スリーブ２１によって圧迫されなくなり、踏みリングにより拘束された拘束主体３１が、釈放され、これにより、椅子１の中央パイプ１１に対する係合固定も解消される。この時、ユーザーにとって、適当な踏みリングの高さを調整すれば、踏みリング２の、椅子１の中央パイプ１１においての上下位置が調整される。
【００２６】
以上のように、本考案によれば、下記の利点が得られる。
【００２７】
１．本考案によれば、二つの錐形状である踏みリングのスリーブと、踏みリングのスリーブと椅子の中央パイプとの間に設けてある拘束主体とが、互いに圧迫することにより、踏みリングに印加する踏む力が大きくなるとともに、踏みリングの錐形状であるスリーブが、錐形状である拘束主体に、より緊密に圧迫でき、これにより、拘束主体が、より緊密に椅子の中央パイプに圧迫でき、その結果、踏みリングが、安定的に椅子の中央パイプに固定される效果が得られる。
【００２８】
２．本考案によれば、拘束主体に、少なくとも一つ以上の凹溝が設けられることにより、拘束主体が、拘束され圧迫される場合、上記拘束主体は、拘束主体に設けられた上記複数の凹溝により、均一的に収縮されて拘束され、これにより、拘束主体が、より堅く椅子の中央パイプに固定され、踏みリングが、安定的に椅子の中央パイプに固定される效果が得られる。
【００２９】
３．本考案によれば、固定リングの周壁に、拘束主体の係止歯と係止する複数の係止溝が設けられるだけでなく、固定リングと拘束主体との対応する位置に、ピン孔が設けられるため、位置付けピンで、両者を固定でき、これにより、固定リングと拘束主体との間において、結合がより安定的になる。
【００３０】
４．本考案によれば、固定リングの上縁に、ストッパー縁が設けられ、固定リングと結合する拘束主体が、踏みリングのスリーブに対して、より安定的に固定され、これにより、拘束主体が、踏みリングのスリーブから外れることを防止できる。
【００３１】
５．本考案によれば、拘束主体の嵌設孔の内壁に、リング状に、複数の行き止めパッドが設けられ、そのため、拘束主体が、踏みリングのスリーブによって、下へ圧迫される時、拘束主体は、上記行き止めパッドで、その瞬間に、椅子の中央パイプに密着でき、拘束主体が、踏みリングのスリーブにより、更に下へ圧迫される時、より堅く椅子の中央パイプに密着できる。また、拘束主体が、椅子の中央パイプに密着する時、上記行き止めパッドが、より緊密に、椅子の中央パイプに密着でき、その行き止めの効果がより発揮される。
【００３２】
６．本考案によれば、踏みリングの高さを調整する時、踏みリングを上へ引き上げるだけで、拘束主体が、踏みリングとの圧迫状態から釈放され、そして、拘束主体が、椅子の中央パイプに対する圧迫することも釈放し、これにより、簡単に、踏みリングを、椅子の中央パイプにおく位置を調整できる。
【００３３】
以上、本考案の好適な実施形態について説明したが、、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００３４】
【図１】本考案の一実施形態による回転椅子の外観図である。
【図２】本考案の一実施形態による回転椅子の足載せリング構造の分解斜視図である。
【図３】本考案の一実施形態による回転椅子の足載せリング構造の組立て図である。
【図４】本考案の一実施形態による回転椅子の足載せリング構造の局部を示す側面断面図（一）である。
【図５】本考案の一実施形態による回転椅子の足載せリング構造の局部を示す側面断面図（二）である。
【符号の説明】
【００３５】
１  椅子
１１  中央パイプ
２  踏みリング
２１  スリーブ
３  拘束部材
３１  拘束主体
３１１  嵌設孔
３１２  凹溝
３１３  凹溝
３１４  嵌設孔
３１５  行き止めパッド
３１６  突出部
３１７  係止歯
３１８  ピン孔
３２  固定リング
３２１  貫通孔
３２２  係止溝
３２３  欠け口
３２４  係止部
３２５  ストッパー縁
３２６  ピン孔
３３  位置付けピン
【図１】
0003178717.tif 000003
【図２】
0003178717.tif 000004
【図３】
0003178717.tif 000005
【図４】
0003178717.tif 000006
【図５】
0003178717.tif 000007